(57)【要約】【課題】Ｅコマースの決済を行う際に、セキュリティを確保しながらも、利用者の利便性を損なわずに認証処理を行う。【解決手段】認証側装置１００は主に販売店に設置され、端末側装置２００は主に携帯電話等に付加され、認証側装置１００との間で決済処理を行う。キー側装置３００は、主に腕時計や眼鏡、バッジ、キーホルダー等に組み込まれ利用者４００が身につけて携帯する。端末側装置２００の記憶装置２２４には、キー側装置３００の情報が登録されている。端末側装置２００と認証側装置１００との間で決済処理が行われる場合、端末側装置２００がキー側装置３００との間で、ブルートゥース、無線ＬＡＮ等の近距離無線通信による接続ができた場合、端末側装置２００はパスワード入力等の入力処理を利用者４００に要求せずに、認証側装置１００からの認証要求に対して自動的に応答する。【選択図】      図１
2004220402.tif 000002
【特許請求の範囲】
【請求項１】
電子商取引の決済を行う際に、利用者が正当な権利を有する本人であることを確認する認証を行うＥコマース認証システムであって、
決済処理の際の認証を行うための認証側装置と、
近距離無線通信を行うための無線通信手段を備え、携帯可能なキー側装置と、
前記認証側装置からの認証要求を受信すると近距離無線通信を行うことにより前記キー側装置への接続要求を行い、接続が確認できたキー側装置の情報と予め登録されている情報とが一致した場合、前記認証側装置からの認証要求に対して記憶されている登録情報に基づいて自動的に応答する端末側装置と、
から構成されているＥコマース認証システム。
【請求項２】
前記端末側装置は、接続が確認できたキー側装置の情報と予め登録されている情報とが一致しなかった場合、またはキー側装置との間で近距離無線通信による接続が確認できない場合、利用者によるパスワードの入力による認証処理を行うように要求する請求項１記載のＥコマース認証システム。
【請求項３】
前記キー側装置には、予め前記端末側装置の情報が登録されていて、接続を要求してきた端末側装置の情報と予め登録されている情報とが一致した場合のみ近距離無線通信による接続を行う請求項１または２記載のＥコマース認証システム。
【請求項４】
電子商取引の決済を行う際に、利用者が正当な権利を有する本人であることを確認する認証を行うＥコマース認証方法であって、
近距離無線通信を行うための無線通信手段を備え携帯可能なキー側装置の情報を、端末側装置に登録するステップと、
決済処理の際の認証を行うための認証側装置が、端末側装置に対して認証要求を送信するステップと、
前記認証要求を受信した端末側装置が、近距離無線通信を行うことによりキー側装置への接続要求を行うステップと、
接続が確認できたキー側装置の情報と予め登録されている情報とが一致した場合、前記端末側装置が、前記認証側装置からの認証要求に対して記憶されている登録情報に基づいて自動的に応答するステップと、
から構成されているＥコマース認証方法。
【請求項５】
前記端末側装置が、接続が確認できたキー側装置の情報と予め登録されている情報とが一致しなかった場合、またはキー側装置との間で近距離無線通信による接続が確認できない場合、利用者によるパスワードの入力による認証処理を行うように要求するステップをさらに有する請求項４記載のＥコマース認証方法。
【請求項６】
前記キー側装置には、予め前記端末側装置の情報が登録されていて、接続を要求してきた端末側装置の情報と予め登録されている情報とが一致した場合のみ近距離無線通信による接続を行うステップをさらに有する請求項４または５記載のＥコマース認証方法。
【発明の詳細な説明】
【０００１】
【発明の属する技術分野】
本発明は、電子商取引の決済を行う際に、利用者が正当な権利を有する本人であることを確認する認証を行うＥコマース認証システムおよび方法に関する。
【０００２】
【従来の技術】
携帯電話の普及に伴い、携帯電話の内部に電子マネー機能を組み込んだり、クレジットカード機能を組み込んだりすることにより電子商取引（Ｅコマース）の決済機能を携帯電話に組み込む動きが今後加速していくことが予想される。このように携帯電話等の携帯通信端末を用いて決済を行うＥコマースを行う場合、携帯通信端末を紛失したり、盗難されたりすることを考慮して、他人による不正使用を防止することが要求される。
【０００３】
しかし、携帯電話に組み込まれた決済機能を利用するにあたって、セキュリティと利便性の両方を満足することは難しい問題であり、セキュリティを重視すれば認証手続きが煩雑となり使いづらく、利便性を重視すればセキュリティの心配が増す。
【０００４】
このように、Ｅコマースの利用には、常に、セキュリティの確保と利便性の追求という、背反する２つの条件がつきまとう。Ｅコマースの最大の弱点はまさにこの点にあり、従来は、「セキュリティを確保できるが煩雑である」もしくは「便利であるがセキュリティが考慮されていない」という、どちらかに偏ったシステムしか提供できなかった。このため、Ｅコマースよりも、現金で支払ったり、クレジットカードを利用したりする方が、利用者としては便利で安全であった。
【０００５】
セキュリティの確保について、個人認証の仕組みは従来からある（例えば、特許文献１参照。）。まず、パスワードを入力させることで本人を特定する方法があるが、これは利用者にとっては不便であり、パスワードの管理等の問題も発生し煩雑である。この他にも、虹彩や声紋、指紋等を使用するバイオ認証技術もある。しかし、これらの技術は現在のところ機器のコストが高く、認証を行うためだけに導入するには、費用がかかる。また、基本的に、利用者が認証を意識して操作を行うことが前提であるため、利便性が損なわれる。
【０００６】
また、クレジットカードサインレスシステムに代表されるように、利便性を追及したシステムもあるが、この場合、カードを落としてしまってそれに気づかないでいると、不正使用の被害に遭うことになる。このようなシステムでは、利便性の代償として、セキュリティが犠牲になってしまっている。
【０００７】
【特許文献１】
特開２００１−２４３３８２号公報
【０００８】
【発明が解決しようとする課題】
上述した従来のＥコマース認証システムでは、セキュリティを確保しようとすると利便性が損なわれ、セキュリティと利便性の両方を確保することが難しいという問題点があった。
【０００９】
本発明の目的は、Ｅコマースの決済を行う際に、セキュリティを確保しながらも、利用者の利便性を損なわずに認証処理を行うことができるＥコマース認証システムおよび方法を提供することである。
【００１０】
【課題を解決するための手段】
上記目的を達成するために、本発明のＥコマース認証システムは、電子商取引の決済を行う際に、利用者が正当な権利を有する本人であることを確認する認証を行うＥコマース認証システムであって、
決済処理の際の認証を行うための認証側装置と、
近距離無線通信を行うための無線通信手段を備え、携帯可能なキー側装置と、
前記認証側装置からの認証要求を受信すると近距離無線通信を行うことにより前記キー側装置への接続要求を行い、接続が確認できたキー側装置の情報と予め登録されている情報とが一致した場合、前記認証側装置からの認証要求に対して記憶されている登録情報に基づいて自動的に応答する端末側装置とから構成されている。
【００１１】
また、前記端末側装置は、接続が確認できたキー側装置の情報と予め登録されている情報とが一致しなかった場合、またはキー側装置との間で近距離無線通信による接続が確認できない場合、利用者によるパスワードの入力による認証処理を行うように要求する。
【００１２】
本発明では、利用者がキー側装置を身につけている場合、端末側装置は認証側装置からの認証要求に対して自動応答するため、パスワードの入力等の煩雑な処理を要求されることなく、Ｅコマースの決済を行うことでき、利用者が端末側装置を紛失等してキー側装置が端末側装置の近距離無線通信の範囲内に存在しなくなると、端末側装置はパスワードの入力がなければ認証要求に応答しない。そのため、本発明によれば、利用者はキー側装置を身につけているだけで、端末側装置と認証側装置との間で自動的に認証が行われるので、セキュリティを確保しながらも、利用者の利便性を損なわずにＥコマースの決済を行うことができる。
【００１３】
決済にあたって、携帯電話が、利用者に操作を促すことなく、本人であることを確認するための認証に対して自動的に応答する機能を実現する。ただし、この機能が動作するには条件があり、ブルートゥースや無線ＬＡＮ等の近距離無線技術を利用して、ペアとなる機器が無線範囲内に存在する場合のみ、自動的に応答するものである。このペアとなる機器を、常に身につけるアクセサリ製品、例えば腕時計や眼鏡、バッジ、キーホルダー、財布等に実装することにより、自動認証を行うことができる。また、ペアとなる機器が見つからない場合、自動での応答を行わないため、例えばＥコマースのための決済機能を持った携帯電話を紛失した場合でも、第三者による不正使用を防止できる。
【００１４】
このような方法により、利用者から見ると、認証のための操作を行うことなく、自動で本人であるという確認を行い、決済が完了するという利便性を持ちながら、さらに、セキュリティまで確保することができる。
【００１５】
また、前記キー側装置に、予め前記端末側装置の情報を登録しておき、接続を要求してきた端末側装置の情報と予め登録されている情報とが一致した場合のみ近距離無線通信による接続を行うようにしてもよい。
【００１６】
本発明によれば、キー側装置に情報が予め登録されていない装置がキー側装置に接続要求をしてきた場合には、近距離無線通信を行わないようにすることにより、より信頼性の向上を図ることができる。
【００１７】
【発明の実施の形態】
次に、本発明の実施の形態について図面を参照して詳細に説明する。
【００１８】
（第１の実施形態）
図１は本発明の第１の実施形態のＥコマース認証システムの構成を示すブロック図である。本実施形態のＥコマース認証システムは、ブルートゥース（Ｂｌｕｅｔｏｏｔｈ）や無線ＬＡＮ等の近距離無線通信技術を利用して、Ｅコマースにおける個人認証を自動的に行うシステムを提供するものである。
【００１９】
本実施形態のＥコマース認証システムは、図１に示すように、認証側装置１００と、端末側装置２００と、キー側装置３００とから構成されている。
【００２０】
認証側装置１００は、図１に示すような構成を持ち、主に販売店に設置されることを想定している。ただし、携帯電話網やインターネット等を通じて、遠隔地に設置してあっても構わない。
【００２１】
端末側装置２００も、図１に示すような構成を持ち、主に携帯電話に付加、もしくは組み込んで使用することを想定している。だし、パソコンやＰＤＡ（Ｐｅｒｓｏｎａｌ  Ｄｉｇｉｔａｌ  Ａｓｓｉｓｔａｎｔ：携帯情報端末）等の、Ｅコマースを実施できる端末であれば同様に利用できる。
【００２２】
認証側装置１００と端末側装置２００の間は、主に非接触ＩＣや、赤外線通信等の無線通信を想定している。もちろん、ブルートゥースや無線ＬＡＮ、あるいは無線でなく直接、ケーブルや外部端子を接続させて通信を行っても良い。また、認証側装置１００と端末側装置２００との間の決済手段は、主に電子マネーやクレジットカードを想定しているが、他の決済手段を用いても良い。つまり、本発明は、認証側装置１００と端末側装置２００の間の通信技術や決済手段には依存しないため、詳細は問わない。
【００２３】
同様に、キー側装置３００も、図１に示すような構成を持ち、主に腕時計や眼鏡、バッジ、キーホルダー等、所有者が常に身につけるようなアクセサリに付加、もしくは組み込んで使用することを想定している。
【００２４】
これらの各装置はそれぞれ概略つぎのように動作する。
【００２５】
まず、利用者４００は、Ｅコマースを行う場合、端末側装置２００を実装した機器を使用して、認証側装置１００との間で、Ｅコマースのための情報を送受信する。このときの手順や通信方法、決済方法は、本発明に依存する部分でないため、どのように行っても構わない。説明のために具体的な一例を挙げると、例えば、認証側装置１００が、販売店に設置してあるＥコマース用の専用機器であり、端末側装置２００が、携帯電話であるようなシステムを考えることができる。この２つの機器の間で、非接触ＩＣや赤外線通信を使って、携帯電話内部に組み込まれた電子マネーやクレジットカード機能にアクセスするような動作が考えられる。
【００２６】
次に、本実施形態のＥコマース認証システムの詳細な構成について図１を参照して以下に説明する。
【００２７】
認証側装置１００は、無線装置（Ａ）１１０と、プログラム制御により動作するコンピュータ（中央処理装置）１２０とから構成される。
【００２８】
端末側装置２００は、無線装置（Ａ）２１０と、無線装置（Ｂ）２１１と、プログラム制御により動作するコンピュータ（中央処理装置）２２０と、ユーザインタフェース装置２３０から構成される。
【００２９】
キー側装置３００は、無線装置（Ｂ）３１０と、プログラム制御により動作するコンピュータ（中央処理装置）３２０とから構成される。
【００３０】
コンピュータ（中央処理装置）１２０は、通信制御部（Ａ）１２１と、認証側装置制御部１２２とを含む。同様に、コンピュータ（中央処理装置）２２０は、通信制御部（Ａ）２２１と、通信制御部（Ｂ）２２２と、端末側装置制御部２２３と、記憶装置２２４とを含む。同様に、コンピュータ（中央処理装置）３２０は、通信制御部（Ｂ）３２１と、キー側装置制御部３２２と、記憶装置３２３とを含む。
【００３１】
通信制御部（Ａ）１２１は、無線装置（Ａ）１１０を制御する無線制御機能と、実装する無線技術に適した通信プロトコルを使用して通信を実行する機能とを含む。認証側装置制御部１２２から指示を受け、無線装置（Ａ）１１０に対して指示を行い、Ｅコマースの決済および認証処理を実行するため、端末側装置２００への接続および通信経路を提供する。
【００３２】
認証側装置制御部１２２は、認証側装置１００が、Ｅコマースのための決済を行う際に、通信制御部（Ａ）１２１に指示して端末側装置２００と通信し、決済方法に応じて、端末側装置２００に対し、利用者が正当な権利を有する本人であることを確認するための認証を要求する。
【００３３】
一方、端末側装置２００における通信制御部（Ａ）２２１は、無線装置（Ａ）２１０を制御する無線制御機能と、実装する無線技術に適した通信プロトコルを使用して通信を実行する機能とを含む。端末側装置制御部２２３から指示を受け、無線装置（Ａ）２１０に対して指示を行い、Ｅコマースの決済および認証処理を実行するための、認証側装置１００への接続および通信経路を提供する。
【００３４】
端末側装置制御部２２３は、Ｅコマースのための決済を行う際に、通信制御部（Ａ）２２１に指示して認証側装置１００と通信し、決済手段に応じて、認証側装置１００から要求された認証に対し、応答する機能を有する。また、端末側装置制御部２２３は、記憶装置２２４を参照し、自動認証のための情報が登録されているかどうかをチェックする。自動認証の情報が記憶装置２２４に登録されていない場合は、認証に自動応答せず、ユーザインタフェース装置２３０を介して利用者４００に、本来必要なパスワード入力等の認証処理を行うよう要求する。逆に自動認証の情報が記憶装置２２４に登録されている場合は、登録情報に従い、キー側装置３００に対して接続を行うよう、通信制御部（Ｂ）２２２に指示を行う。通信制御部（Ｂ）２２２から接続の成功が通知された場合は本人の使用であると見なし、認証に自動で応答する。
【００３５】
また端末側装置制御部２２３はそれ以外に、ユーザインタフェース装置２３０を介して利用者４００からの指示を受け、自動認証情報の登録、削除、編集等を行う。ペアとなるキー側装置３００の情報と、自動認証を行うためのパスワード等の情報を、記憶装置２２４に登録する機能を提供する。事前にこれらの情報を登録しておくことで、本発明の自動認証を利用することができるようになる。
【００３６】
通信制御部（Ａ）２２１は、無線装置（Ａ）２１０を制御する無線制御機能と、実装する無線技術に適した通信プロトコルを使用して通信を実行する機能とを含む。認証側装置制御部２２３から指示を受け、無線装置（Ｂ）２１１に対して指示を行い、Ｅコマースの決済および認証処理を実行するための、認証側装置１００への接続および通信経路を提供する。
【００３７】
同様に、通信制御部（Ｂ）２２２は、無線装置（Ｂ）２１１を制御する無線制御機能と、実装する無線技術に適した通信プロトコルを使用して通信を実行する機能とを含む。端末側装置制御部２２３から指示された、キー側装置３００に接続するために、無線装置（Ｂ）２１１に対して指示を行い、本人確認のための、ペアとなるキー側装置３００が、無線範囲内にあるかどうかをチェックするための機能を提供する。
【００３８】
キー側装置制御部３２２は、通信制御部（Ｂ）３２１に対して、端末側装置２００からの接続を待ち受けるよう指示する。また、記憶装置３２３を使って、端末側装置２００の情報を登録、参照することも可能である。
【００３９】
通信制御部（Ｂ）３２１は、無線装置（Ｂ）３１０を制御する無線制御機能と、実装する無線技術に適した通信プロトコルを使用して通信を実行する機能とを含む。キー側装置制御部３２２から指示された場合、無線装置（Ｂ）３１０に指示して端末側装置２００からの接続を待ち受ける。
【００４０】
次に、図１及び図２、図３、図４のフローチャートを参照して、本実施形態の全体の動作について詳細に説明する。
【００４１】
まず、図２のフローチャートを参照して、図１中の端末側装置２００の動作について説明する。
【００４２】
利用者４００は、携帯電話等に組み込まれた端末側装置２００を利用してＥコマースを行う（ステップ２１）。すると端末側装置２００は、販売店に設置してあるＥコマースの専用端末等に相当する認証側装置１００と通信を行い、決済処理を実行する（ステップ２２）。
【００４３】
一方、図３において、認証側装置１００は、端末側装置２００とＥコマースの処理を開始し（ステップ４１）、端末側装置２００との決済処理を実行する（ステップ４２）。このときの通信方法や決済方法等は、本発明には依存しない部分であるため、どのような方法を用いても構わない。
【００４４】
決済処理の過程で、本人確認の必要が生じた場合、認証側装置１００は、端末側装置２００に対して認証を要求する（ステップ４３）。この後、認証側装置１００は、端末側装置２００から、認証に対する応答が返ってくるまで待機する。一定時間待っても応答が返ってこない場合、認証側装置１００は、認証が失敗したものとして処理することも可能であるが、ここでは説明を簡単にするために、応答を受信するまで待機するものと考える。また、ここでの認証は、通常、認証側装置１００が、さらに別のサーバに接続していて、そのサーバから認証が要求されることを想定しているが、どこで認証処理が発生し、認証を行うかは、本発明には依存しない。
【００４５】
再び、図２において、端末側装置２００は、認証側装置１００からの認証要求を受信する（ステップ２３）。すると、端末側装置制御部２２３は、記憶装置２２４を参照し、自動認証に必要な情報が登録されているかどうかをチェックする（ステップ２４）。記憶装置２２４に、自動認証に必要な情報が登録されている場合、端末側装置２００は、ペアとなるキー側装置３００に対して接続を試みる（ステップ２５→ステップ２６）。なお、キー側装置３００を特定するための登録情報は、装置固有の製造番号であったり、アドレスであったり、ソフトウェア的な識別番号であったりする。少なくとも無線装置（Ｂ）２１１と無線装置（Ｂ）３１０間の無線通信が可能な範囲内において、相手側装置を一意に特定できる情報であるものとする。またこのとき登録するキー側装置情報や、認証に応答するためのパスワード情報等は、原型のデータをそのまま記憶することも可能であろうが、原則として、容易に元の情報を復元できないような暗号化を行って記憶する。
【００４６】
一方、キー側装置３００の動作について図４を参照して説明する。
【００４７】
キー側装置３００は、電源投入と同時に、キー側装置制御部３２２が通信制御部（Ｂ）３２１に指示を行い、端末側装置２００からの接続を待ち受ける（ステップ５１）。通信制御部（Ｂ）３２１はこれに従い、無線装置３１０に指示して、端末側装置２００から接続が来るまで待機している。
【００４８】
この状態で、図２のステップ２６により、端末側装置２００の無線装置（Ｂ）２１１からの接続を、キー側装置３００の無線装置（Ｂ）３１０が受信し、互いの無線通信プロトコルを使って通信制御部（Ｂ）２２２と通信制御部（Ｂ）３２１は、それぞれ接続するための処理を行い、接続結果を判定する（ステップ５２）。
【００４９】
接続が成功した場合、そのまま端末側装置２００との接続を維持し続ける（ステップ５３）。しかし通常はこの後すぐに、端末側装置２００から切断される（ステップ５４）。端末側装置２００から切断されたら（ステップ５４）、再び起動直後の状態に戻り、キー側装置制御部３２２が通信制御部（Ｂ）３２１に指示を行い、端末側装置２００からの接続を待ち受ける（ステップ５４→ステップ５１）。また、接続が切断されない間は、接続を維持した状態を保つ（ステップ５４→ステップ５３）。
【００５０】
再び、端末側装置２００の動作について図２を参照して説明する。
【００５１】
通信制御部（Ｂ）２２２は、ステップ２６におけるキー側装置３００との接続成功または接続失敗について、端末側装置制御部２２３に通知する。端末側装置制御部２２３は、接続の成功を受け取った場合、本人であることが確認できたものと判定する。無線通信による電力消費を抑えるため、すぐにキー側装置３００との間の通信を切断し（ステップ２８）、認証を要求してきた認証側装置１００に対し、記憶装置２２４から読み出した、自動応答のための情報を使用して応答する（ステップ２９）。
【００５２】
ところで、ステップ２５において、記憶装置２２４に自動認証に必要な情報が登録されていなかった場合（ステップ２５→ステップ３０）や、ステップ２７において、登録されているキー側装置３００への接続が失敗した場合（ステップ２７→ステップ３０）、端末側装置制御部２２３は、自動での応答を行わず、ユーザインタフェース装置２３０を介して、利用者４００に、認証のために必要な情報の入力を促す（ステップ３０）。この場合、利用者４００は、本発明を使用しなかったときの手順で、認証処理を行わなければならない。これは一般的には、パスワード等の入力を行うことになる。利用者４００がユーザインタフェース装置２３０を介して入力した、認証に必要な情報を受け取ると、端末側装置制御部２２３は、認証を要求してきた認証側装置１００に対し、その情報を用いて応答する（ステップ３１）。
【００５３】
その後、ステップ２９またはステップ３１を経て認証を行い、認証に成功したら、端末側装置２００は、Ｅコマースの決済を完了したことになる（ステップ３２）。
【００５４】
再び、認証側装置１００の動作について図３を参照して説明する。
【００５５】
端末側装置２００からの応答を待っていた認証側装置１００は、端末側装置２００からの認証応答を受信する（ステップ４５）。このとき、認証側装置１００は、この認証応答が、端末側装置２００の自動認証によって返された応答なのか、あるいは何らかの理由により自動認証を行うことができずに、利用者４００が直接、入力した応答なのかを意識する必要はない。単に認証側装置１００と、これにつながるＥコマースのシステムで定められた認証手順を踏んで認証処理を実行すれば良いだけである。
【００５６】
端末側装置２００から送信された認証応答を判定し（ステップ４６）、認証に成功した場合は、Ｅコマースの決済を完了したことになる（ステップ４６→ステップ４７）。また認証に失敗した場合は、認証のやり直し、または決済そのものを失敗ものとして処理することになると考えられる（ステップ４６→ステップ４８）が、これ以降の処理は、本発明の内容とは無関係のため、説明を省略する。
【００５７】
本実施形態のＥコマース認証システムによれば、端末側装置２００にペアとして登録しておいたキー側装置３００を、常に利用者４００が身につけるようなアクセサリ製品に組み込んでおくことにより、認証時にぺアとなる機器が無線範囲内に存在するという判定ができる。そのため、利用者４００は、自分が認証されていることさえ気づかないまま、決済を行うための認証を実行することができる。その結果、利用者４００が認証のための煩雑な入力作業を行うことなく、無意識のうちに個人認証を実行できる。
【００５８】
つまり、利用者４００は、端末側装置２００を用いてＥコマースの決済を行う場合、キ−側装置３００を身につけていればパスワードの入力等の煩雑な入力作業を要求されることがない。
【００５９】
また、本実施形態のＥコマース認証システムによれば、認証済みの機器が無線通信の範囲内にある場合のみ、自動認証が行われる。例えば、利用者が携帯電話等を紛失してしまった場合にも、ペアとなる機器が通信範囲内にない限り、他者は自動認証を使用することができない。この場合、本来の認証処理が実行されるため、パスワード等の入力が必要となる。そのため、利用者以外の人間が機器を不正使用することを防止できる。
【００６０】
また、本実施形態のＥコマース認証システムによれば、利用者自身は認証のための入力を行わず、自動認証が行われるので、例えば、数十文字、数百文字に及ぶような、非常に長いパスワードを利用することも容易である。これにより、利用者が携帯電話等を紛失してしまった場合にも、他者が容易に不正使用することができなくなる。通常、このように長いパスワードを設定すると、利用者の入力が煩雑になってしまい、利便性が失われてしまうが、自動認証を行うため、どれほど長いパスワードであろうと、利用者にとっては何ら不都合にならない。その結果、ユーザは長いパスワードを利用して強力なセキュリティを確保できる。
【００６１】
さらに、本実施形態のＥコマース認証システムでは、自動認証が行われることにより、利用者がパスワード等をその場で入力するような作業が発生しない。パスワード等の情報が漏洩する原因の１つに、他者にパスワード入力の際の操作を覗きこまれるということが有り得るが、本実施形態によれば、パスワードを入力するような操作は必要ないため、パスワード等を他者に覗き見られて漏洩するという心配がない。
【００６２】
さらに、本実施形態のＥコマース認証システムでは、認証側装置と端末側装置の間の通信方法、決済方法、認証方法は問わないし、また、端末側装置とキー側装置の間の通信方法にも依存しない。そのため、一般に広く普及している近距離無線通信技術を利用でき、ソフトウェア部分の修正だけで互換性の維持が可能になる。本発明は、ただ単に接続できれば良い、という点に基づいており、異企業間のシステムであっても、同じ種類の無線技術を実装している以上、かなり高い確率で接続できるはずであり、また接続さえできればこのシステムを実現することができるのである。しかも、認証側装置、端末側装置、キー側装置がお互いに独立しており、「相手がどのように処理しているか」を知る必要がないため、相互接続性について考慮しなければならない事項が少ない。そのため、異企業間のシステム同士が容易に連携できる。
【００６３】
また、認証側装置１００は、本発明からは独立しているため、従来から存在するＥコマースのシステムを改造することなく、本発明のシステムを追加することができる。また、認証側装置１００、端末側装置２００、キー側装置３００ともに、通信方法には依存しないことから、一般に広く普及している近距離無線通信技術を利用できるのも安価である理由の１つである。すでに他の利用目的で該当する近距離無線通信技術を実装している機器は、ソフトウェアの追加のみでシステムを実現することができる。また、認証にしか使えない、というシステムではなく、実装している近距離無線通信技術は、当然、認証以外の目的にも使用できるため、利用者にとっては、付加価値がある。さらに、指紋認証や声紋認証、虹彩認証等のバイオ認証に比べて機器が安価で、技術的にも平易であるのは明らかである。すなわち、開発、製造コストを抑えつつ、Ｅコマースにおけるセキュリティの確保と、操作が簡単であるという利便性の追求と、両方を実現できる。
【００６４】
（第２の実施形態）
次に、本発明の第２の実施形態について図面を参照して詳細に説明する。
【００６５】
図１に示した第１の実施形態のＥコマース認証システムおいて、端末側装置２００の端末側装置制御部２２３は、認証側装置１００からの認証要求を受信して、あらかじめ登録しておいた自動認証用の情報を利用して、自動的に応答を返却するものとして説明した。
【００６６】
しかし実際には、認証側装置１００と、これにつながる販売店側のＥコマースシステムが、適切な認証手段を備えているとは限らない。本発明は、認証側装置１００と端末側装置２００との間の認証手段には依存しないため、極論として、まったく認証を行わないようなシステムに対しても、本発明を適用することができる。クレジットカードサインレスシステムのように、クレジットカードを専用装置に読み取らせるだけで、利用者に何の認証処理も促すことなく決済が完了する場合もある。これは便利である反面、セキュリティが確保できない。
【００６７】
本実施形態のＥコマース認証システムは、このようなシステムに本発明を適用したものであり、端末側装置が単独で認証を行うようにしたもものである。
【００６８】
本実施形態のＥコマース認証システムの構成を図５に示す。図４において、図１中の構成要素と同一の構成要素には同一の符号を付し、説明を省略するものとする。
【００６９】
本実施形態のＥコマース認証システムは、認証側装置１００と、端末側装置５００と、キー側装置６００とから構成されている。
【００７０】
端末側装置５００は、図１に示した第１の実施形態における端末側装置２００に対して、コンピュータ２２０がコンピュータ５２０に置き換えられた構成となっている。このコンピュータ５２０は、コンピュータ２２０に対して認証部２２５が新たに設けられた点が異なっている。
【００７１】
また、キー側装置６００は、図１に示した第１の実施形態におけるキー側装置３００に対して、コンピュータ３２０がコンピュータ６２０に置き換えられた構成となっている。このコンピュータ６２０は、コンピュータ３２０に対してユーザインタフェース装置３３０が新たに設けられた構成となっている。
【００７２】
本実施形態のＥコマース認証システムでは、端末側装置５００は、認証部２２５が設けられていることにより、端末側装置制御部２２３それ自身が認証を行うことができる。また、端末側装置５００では、端末側装置制御部２２３は、ユーザインタフェース装置２３０を介して利用者４００に対して直接認証を行うこともできる。
【００７３】
本実施形態のＥコマース認証システムでは、ペアとなるキー側装置６００が端末側装置５００の無線通信範囲内にいる場合、端末側装置５００は、正当な権利を有する本人の使用であると認識し、認証側装置１００に対してＥコマースの決済処理を続行するのである。このとき、認証側装置１００は認証を行わないが、無線範囲内にペアとなるキー側装置６００が存在しない場合や、記憶装置２２４にキー側装置６００の情報が登録されていない場合、端末側装置制御部２２３は認証部２２５を起動し、ユーザインタフェース装置２３０を介して利用者４００に直接認証を要求する。
【００７４】
本実施形態の場合も、仮に端末側装置５００を紛失したとしても、第三者による不正利用を防ぐことができるし、また、ペアとなるキー側装置６００を身につけている限り、利用者４００にとって利便性を損なうこともない。既存のクレジットカードサインレスシステムのような、認証のないＥコマースで決済を行うとき、既存のシステムに改造を加えることなく、端末側装置５００とキー側装置６００を追加するだけで、セキュリティを強化することができ、しかも認証作業がないという、利用者にとっての利便性も維持することができるのである。
【００７５】
また、本実施形態では、認証側装置１００は、端末側装置５００と無線で接続するものとして説明している。主に非接触ＩＣや赤外線通信、ブルートゥース、無線ＬＡＮ等を想定しているが、言うまでもなく、既存のカードリーダのような接触型の専用端末であっても、本発明を適用することは可能である。あるいは、認証側装置１００と端末側装置２００は、近距離ではなく、携帯電話網やインターネットを介して、遠隔でＥコマースの決済を行っても良い。本発明はＥコマースを実行する側の環境に依存しないためである。
【００７６】
上記第１および第２の実施形態では、端末側装置２００、５００にキー側装置３００、６００を登録する（あるいはその逆）にあたって、特に条件を設けていないが、言うまでもなく、キー側装置３００、６００の登録時において、パスワード等を使用し、より強力な信頼関係を構築しても良い。パスワード等の入力は、利用者にとっては煩雑な作業であるが、キー側装置３００、６００の情報登録時に１回だけ行えば、以後のＥコマース決済時には自動で認証を行うため、大きな負担にはならない。さらに、本発明の第２の実施形態では、図５のキー側装置６００には、ユーザインタフェース装置３３０が含まれおり、利用者４００はキー側装置６００にも入力できるようになるため、端末側装置５００およびキー側装置６００との間で、パスワード等を交換することが可能になり、より強力な信頼関係を構築できる。製造番号やアドレス、ソフトウェア的な識別番号等の、機器固有の情報に加えて、パスワードのような、当人しか知り得ない情報を含んで特殊演算を行って、登録する情報を生成することで、他人による「なりすまし」等を防止できる確率が高くなる。さらに信頼関係を重視する場合、登録情報を定期的に、あるいは何かのイベント発生によって作成し直すような処理を組み込めば、さらに信頼度を増すことができる。これとは別に、端末側装置２００、５００およびキー側装置３００、６００が合意して、接続時にお互いしか知り得ない秘密の情報を受け渡しすることで、信頼性を向上させる方法も考えることができる。当然、無線通信の弱点であるセキュリティを考慮し、暗号化によって他者からガードする構成も考えられる。
【００７７】
さらに、上記第１および第２の実施形態では、例えば端末側装置２００、５００の記憶装置２２４に、機器情報を１件しか登録していないが、これは言うまでもなく説明を簡便にするために制限したに過ぎない。実際には、端末側装置２００、５００に、複数のキー側装置３００、６００を登録できても良い。この場合、記憶装置２２４に登録されているキー側装置の情報を何らかのルールに従った順番によりチェック、あるいは一度に接続チェックし、登録してあるキー側装置情報のうちのいずれか１つと接続を確立できたら、利用可能と判断する、といった対応が可能になる。また、金額や決済方法の条件により、チェックするキー側装置を使い分けるといった指定も当然、可能である。同様に、キー側装置３００、６００の方で、複数のＥコマース可能な端末側装置を登録することも可能である。
【００７８】
また、上記第１および第２の実施形態では、自動認証における条件を規定していないが、これも、言うまでもなく説明を簡便にするために制限したに過ぎない。例えば一定金額以下の決済の場合のみ自動認証を適用し、ある金額を越える決済については、自動認証を行わず、必ず利用者に認証をさせる、等の設定を行うことも考えられる。同様に、ある特定の決済方法の場合のみ自動認証を適用し、その他の決済方法には適用しない、という設定も考えられるが、これらは本発明が動作する条件を規定しているに過ぎず、本発明における自動認証の機能に含まれる。
【００７９】
また、上記第１および第２の実施形態では、端末側装置２００、５００もしくはキー側装置３００、６００がユーザインタフェース装置を持つ場合、当然、登録している機器情報について、利用者の利便性を向上させるための登録名や登録日付、有効期間等の付加情報を追加することも可能であるし、情報の保護、追加、削除、編集等の操作も可能であるものとする。
【００８０】
また、上記第１および第２の実施形態では、端末側装置２００、５００とキー側装置３００、６００が無線で接続できた場合のみ、自動認証を利用可能である、と説明しているが、これもまた、説明を簡便にするために記述した規則に過ぎない。本発明の意図するところは、この両者の装置が、無線通信の範囲内にあるかどうかに基づく、ということであるから、必ずしも、接続できなければならないことを意味するものではない。例えば、実装している近距離無線通信技術が持つ、機器探索等の機能を使用して、相手装置が無線通信範囲内にいるかどうかをチェックするだけで実現することも可能である。
【００８１】
また、上記第１および第２の実施形態では、キー側装置３００、６００を常に無線接続を待ち受ける状態にするよう説明しているが、消費電力の観点から、この方法が望ましくない場合、普段は未起動状態にしておいて、使用するときにワンタッチで起動する等の簡便な操作で無線接続を待ち受けるような処理にすることも可能である。この場合、すべて自動で処理するような構成に比べると、利用者が認証を意識しなければならない分、不便になるが、キーをワンタッチする程度の代償で、代わりに電池寿命が延びるようであれば十分であると考えることもできる。逆に、電力に問題がない機器であれば、Ｅコマースの決済時に接続するのではなく、あらかじめ接続しておき、機器固有の省電力機能等を利用して、通信可能状態を維持しておく方法も考えられる。この場合、決済時のチェックがさらにスムーズになり、利用者にとって、より快適に決済を行うことができる。
【００８２】
【発明の効果】
以上説明したように、本発明によれば、利用者はキー側装置を身につけているだけで、端末側装置と認証側装置との間で自動的に認証が行われるので、セキュリティを確保しながらも、利用者の利便性を損なわずにＥコマースの決済を行うことができるという効果を得ることができる。
【図面の簡単な説明】
【図１】本発明の第１の実施形態のＥコマース認証システムの構成を示すブロック図である。
【図２】図１の端末側装置１００の動作を示すフローチャートである。
【図３】図１の認証側装置２００の動作を示すフローチャートである。
【図４】図１のキー側装置３００の動作を示すフローチャートである。
【図５】本発明の第２の実施形態のＥコマース認証システムの構成を示すブロック図である。
【符号の説明】
２１〜３２    ステップ
４１〜４８    ステップ
５１〜５４    ステップ
１００    認証側装置
１１０    無線装置
１２０    コンピュータ（中央処理装置）
１２１    通信制御部（Ａ）
１２２    認証側装置制御部
２２１    通信制御部（Ａ）
２２２    通信制御部（Ｂ）
２２３    端末側装置制御部
２２４    記憶装置
２２５    認証部
２３０    ユーザインタフェース装置
３００    キー側装置
３１０    無線装置（Ｂ）
３２０    コンピュータ（中央処理装置）
３２１    通信制御部（Ｂ）
３２２    キー側装置制御部
３２３    記憶装置
３３０    ユーザインタフェース装置
４００    利用者
５００    端末側装置
５２０    コンピュータ（中央処理装置）
６００    キー側装置
６２０    コンピュータ（中央処理装置）
【図１】
2004220402.tif 000003
【図２】
2004220402.tif 000004
【図３】
2004220402.tif 000005
【図４】
2004220402.tif 000006
【図５】
2004220402.tif 000007